(57)【要約】      （修正有）【課題】係止の信頼性が高く、加工が少く、組み付けが容易な係止構造を提供する。【解決手段】例えば、ベビーベッドに備えた上下させて使用する前枠を、上昇位置で妻枠へ係止するための係止構造であり、妻枠の縦材２２ａに形成した横穴２２ｃに挿嵌離脱する係止具１０を前枠２４に取り付けたものである。係止具１０は、横穴２２ｃに嵌合する押込部を先端に備えるとともに該押込部を押し込む雄ねじを備え他端に摘み取付部を有する嵌挿ねじ１１と、該押込部を引込む引込穴と該雄ねじと係合する雌ねじを備えたソケット１２と該摘み取付部に取り付けられた摘み１３とからなり、該ソケット１２は、前枠２４に形成した貫通孔２４ｂに圧入され、該摘み１３を回動させて押込部を該横穴２２ｃへ嵌合または離脱させるようにしたものである。【選択図】図３
0003214140.tif 000002
【実用新案登録請求の範囲】
【請求項１】
固定部材の面を移動する可動部材に係止具を設け、該係止具を固定部材に形成した横穴に嵌合させて係止するようにした係止構造において、該係止具は、押し出されて該横穴に嵌合する押込部を先端に備えるとともに該押込部を押し出す雄ねじを備え他端に摘みを有する嵌挿ねじと、該可動部材に形成した貫通孔に圧入され該押込部を引込む引込穴と該雄ねじと係合する雌ねじを備えたソケットと、からなり、該摘みを回動させて押込み部を該横穴へ嵌合または離脱させるようにしたことを特徴とする係止構造。
【請求項２】
前記嵌挿ねじおよびソケットは、合成樹脂製で、前記雄ねじおよびこれに噛み合う雌ねじは角ねじであることを特徴とする請求項１記載の係止構造。
【請求項３】
前記固定部材は木工製ベビーベッドにおける妻枠の前端の縦材であり、その上部に係止具の押込部が嵌合する横穴が形成され、前記可動部材は前記縦材の面に近接して上下方向に移動する前枠の縦枠材であり、その上部に貫通孔が形成され係止具のソケットが圧入されたことを特徴とする請求項１または請求項２に記載の係止構造。
【請求項４】
前記固定部材は木工製幼児用椅子における板状脚であり、その上部に係止具の押込部が嵌合する横穴が形成され、前記可動部材は前記板状脚に上下方向に回動可能に連結されたテーブル支えであり、その上部に貫通孔が形成され係止具のソケットが圧入されたことを特徴とする請求項１または請求項２に記載の係止構造。
【考案の詳細な説明】
【技術分野】
【０００１】
本考案は、主として木工製品における可動部材の係止構造に関する。
【背景技術】
【０００２】
固定部材の面に近接して移動する可動部材の係止手段として、固定部材に形成した横穴またはネジ穴へ可動部材に設けた押込みロッドを押し出して嵌合またはねじ込むようにした構造が広く使用されている（例えば特許文献１）。
特許文献１には、ベビーベッドの前枠を上下移動できるようにして、上昇位置で妻枠へ係止するようにした構造が開示されている。
【０００３】
ベビーベッドは、図６に示すように、妻枠２１，２２と後枠２３と前枠２４で矩形に囲み、中にマット２７を設置したもので、前枠２４は上下に移動できるように設けられ、上昇させた位置で妻枠２１，２２へ係止するための係止具４０が両側端に設けられている。  その詳細は、図７に示すように、妻枠２２の前端の縦材２２ａの上部に横穴２２ｃが設けられ、前枠２４の縦枠材２４ａに段差のある貫通孔２４ｂが形成され、係止具４０はロッド部４５を備え軸方向へ可動可能にばね４３で保持されるように設けられている。
このように構成されているので、摘み３１を引くことによりばね４３が圧縮され、ロッド部４５が貫通孔２４ｂへ引き込まれ、前枠２４を下降させることができる。
【先行技術文献】
【特許文献】
【０００４】
【特許文献１】実用新案登録３１１５３６５
【考案の開示】
【考案が解決しようとする課題】
【０００５】
特許文献１の係止具は、特別難しい加工もなく、取り扱いも容易である。
しかしながら、係止中はばね４３だけで保持されており、何かの拍子でばね４３が圧縮されると係止具が外れることとなるので、若干の不安がある。
また、貫通孔２４ｂの加工は両側から行う必要があり、係止具４０の組み付けは部材をバラバラにして行わなければならないので手間取り、係止具４０も加工部分が多く費用が嵩むという欠点がある。
【０００６】
本考案は、このような点に鑑み開発されたものであり、その目的とするところは、係止の信頼性が高く、部材の加工が少く、組み付けが容易な係止構造を提供することを目的としている。
【課題を解決するための手段】
【０００７】
本考案の係止構造は、上記の目的を達成するため、次のように構成した。
すなわち、固定部材の面を移動する可動部材に係止具を設け、該係止具を固定部材に形成した横穴に嵌合させて係止するようにした係止構造において、該係止具は、押し出されて該横穴に嵌合する押込部を先端に備えるとともに該押込部を押し出す雄ねじを備え他端に摘みを有する嵌挿ねじと、該可動部材に形成した貫通孔に圧入され該押込部を引込む引込穴と該雄ねじと係合する雌ねじを備えたソケットと、からなり、該摘みを回動させて押込み部を該横穴へ嵌合または離脱させるようにしたことを特徴としている。
【０００８】
係止具は、固定部材に形成した横穴へ押し出して嵌合させる押込部と雄ねじを備え他端に摘みを有する嵌挿ねじと、可動部材に形成した貫通孔に圧入され、該押込部を退避させる引込穴と該雄ねじと係合する雌ねじを備えたソケットとから構成されている。
材質や加工手段はとくに限定しないが、請求項２に記載のように、合成樹脂の成形品とし、雄ねじおよびこれに噛み合う雌ねじは角ねじとするのが望ましい。なお、固定部材の横穴には合成樹脂製の受材を設けるとよい。
係止具の可動部材への取り付けは、嵌挿ねじをソケットにねじ込んで、先端に摘みを取り付けたものを可動部材に形成した貫通孔に圧入するだけである。
【０００９】
この係止構造は、木工製品や合成樹脂製品に使用するのに適しており、対象物は家具や遊具など種々のものに適用できる。
とくに、請求項３および請求項４に記載のように、ベビーベッドの上下動する前枠の係止や、幼児用椅子の回動するテーブル支えには適している。
【考案の効果】
【００１０】
本考案の係止構造は、固定部材の横穴に嵌合する押込部を先端に備えるとともに該押込部を押し込む雄ねじを備え他端に摘みを有する嵌挿ねじと、該可動部材に形成した貫通孔に圧入され該押込部を引込む引込穴と該雄ねじと係合する雌ねじを備えたソケットとからなるので、係止の信頼性が高く、簡素なものとなり、組み付けも容易で、実用上の効果多大である。
【図面の簡単な説明】
【００１１】
【図１】本考案の実施の形態である係止具の全体を示す正面図で、中心から上は断面を示している。
【図２】同、係止具の各部材を示す正面図で、（ａ）はネジ棒、（ｂ）は、ソケット（ｃ）は、摘み、（ｄ）は受材である。
【図３】同、図６のベビーベッドのＡ−Ａ視拡大図で、本願の係止具１０を適用した実施の形態を示すものである。
【図４】同、幼児用椅子の全体を示す斜視図である。
【図５】同、図４のＢ−Ｂ視拡大図である。
【図６】ベビーベッドの全体を示す斜視図である。
【図７】図６のＡ−Ａ視拡大図で、従来の係止具の取付部を示す。
【考案を実施するための形態】
【００１２】
以下、本考案の係止構造の実施の形態を図面に基いて説明する。
図１は、この係止構造に使用される係止具１０の全体を示す正面図で、上半分を断面で示している。図２は、係止具１０を構成する部材の詳細図である。
この係止構造は、可動部材にねじで出没する押込部１１ａを備えた係止具１０を設け、押込部１１ａを固定部材に形成した横穴に嵌合させて可動部材を係止するようにしたものである。
【００１３】
係止具１０は、嵌挿ねじ１１と、ソケット１２と、摘み１３とからなる。ここでは、材質は合成樹脂製としている。
嵌挿ねじ１１は、横穴に嵌挿する押込部１１ａと、角ねじからなる雄ねじ１１ｂと、摘み取付部１１ｃとから構成され、取付部１１ｃには溝１１ｄが設けられている。
また、ソケット１２は、可動部材に設けられる貫通孔に圧入されるもので、内部に嵌挿ねじ１１の雄ねじ１１ｂと嵌合する雌ねじ１２ａと押込部１１ａが退避する引込部１２ｂとが設けられている。摘み１３は、嵌挿ねじ１１の摘み取付部１１ｃに取り付けられるもので、段部１３ｂを有する嵌合穴１３ａが設けられている。摘み１３は、嵌合穴１３ａを取付部１１ｃへ押し込んで、段部１３ｂを取付部１１ｃの溝１１ｄに嵌合させることによって固定される。
なお、図２において、１４は受材で、押込部１１ａが嵌合する固定部材の横穴に取り付けられる。
【００１４】
図２の各部材で係止具１０を組み立てるには、嵌挿ねじ１１をソケット１２へねじ込んで、押込部１１ａの後端がソケット１２の引込穴１２ｂの壁１２ｄに当接させ、嵌挿ねじ１１の摘み取付部１１ｃに、摘み１３の嵌合穴１３ａを押し込んで嵌合させ段部１３ｂに係止溝１１ｄを嵌合させて固定するだけである。
そして、係止具１０のソケット１２の外周１２ｃを可動部材の貫通孔へ圧入する。この圧入作業は、摘み１３の頭を木ハンマーで軽く打ち込むのが簡便である。なお、受材１４は固定部材の横穴へ圧入する。
【００１５】
次に、この係止具１０を上記説明したベビーベッド２０の前枠２４に適用した実施例を図３に基いて説明する。
ベビーベッド２０は、図６に示すように、妻枠２１，２２と後枠２３と前枠２４で矩形に囲み、中にマット２７を設置したもので、前枠２４は上下にスライド可能に構成され、下降させて開放する。前枠２４は、上昇させた位置で妻枠２１，２２へ係止するための係止具１０が設けられている。すなわち、従来の係止具４０に変えて係止具１０を取り付けたものである。
【００１６】
係止具１０の取り付けは、前枠２４をベビーベッド２０に取り付ける前に、前枠２４の縦枠材２４ａの上部に設けられた貫通孔２４ｂに、係止具１０を押込部１１ａ側から押し込む。なお、このとき、嵌挿ねじ１１はソケット１２にしっかりねじ込んで、押込部１１ａの後端がソケット１２の引込穴１２ｂの壁１２ｄに当接させて、係止具１０を貫通孔２４ｂへ圧入する。そして、妻枠２２の前端の縦材２２ａの上部の所定の位置に設けられた横穴２２ｃに受材１４を圧入し、前枠２４をベビーベッド２０へ取り付ける。なお、このとき、係止具１０は、摘み１３を回動させて押込部１１ａがソケット１２内に退避した状態にしておく。  係止具１０は、以上の作業で取り付けられ、摘み１３を回動させることにより、押込部１１ａを縦材２２ａ（固定部材）の横穴２２ｃへ嵌入、離脱させることで、前枠２４を妻枠２２に係止、開放ができる。
【００１７】
次に、別の実施例として、この係止具１０を幼児用椅子のテーブル支えに適用したものを図４および図５に基いて説明する。
この幼児用椅子３０は、かなり昔から使用されており、幼児の成長に連れて、テーブルと、座板及び足載板との間隔を簡単に変えられるという特徴を有する。
この椅子は、図４に示すように、下端に脚台部３３を備えた後ろ向きの傾斜状態で対置された左右１組の板状脚３１に、挿嵌溝３６が複数対向して設けられ、これに、座板３４と足載板３５が設けられ、上部には背もたれ３２が付設されている。
【００１８】
そして、板状脚３１の上部間にテーブル７を固設したテーブル支え３７が上下方向に回動可能に連結ピン３８で連結されている。テーブル支え３７は、これに突設された板状脚３１に当接するストッパ３９によって下方へは回動できないようにし、かつ、係止具１０によって、テーブル３７ａが板状脚３１に係止し、上方へ回動することを防止している。  テーブル支え３７を上方へ回動させるには係止具１０の摘み１３を回動させて、押込部１１ａをソケット１２内へ退避させなければならないので、不意にテーブル３７ａが上がることがなく、安全である。
【００１９】
係止具１０は、上記説明したように図１の状態に組んで、テーブル支え３７に設けた貫通孔３７ｂに係止具１０を押込部１１ａ側から押し込む。このとき、押込部１１ａの後端がソケット１２の引込穴１２ｂの壁１２ｄに当接するまで、嵌挿ねじ１１をソケット１２にねじ込んでおく。その状態で係止具１０をテーブル支え３７の貫通孔３７ｂへ圧入すればよい。この作業は、上記と同じであるので省略する。
【符号の説明】
【００２０】
１０  係止具
１１  嵌挿ねじ
１１ａ  押込部
１１ｂ  雄ねじ
１１ｃ  摘み取付部
１１ｄ  係止溝
１２  ソケット
１２ａ  雌ねじ
１２ｂ  引込穴
１２ｃ  外周
１２ｄ  壁
１３  摘み
１３ａ  嵌合穴
１３ｂ  段部
１４  受材
２０  ベビーベッド
２１，２２  妻枠
２２ａ  縦材
２２ｃ  横穴
２３  後枠
２４  前枠
２４ａ  縦枠材
２４ｂ  貫通孔
２７  マット
３０  幼児用椅子
３１  板状脚
３１ａ  横穴
３２  背もたれ板
３３  脚台部
３４  座板
３５  脚載台
３６  挿嵌溝
３７  テーブル支え
３７ａ  テーブル
３７ｂ  貫通孔
３８  連結ピン
３９  ストッパ
４０  係止具
４１  摘み
４３  バネ
４５  ロッド部
【図１】
0003214140.tif 000003
【図２】
0003214140.tif 000004
【図３】
0003214140.tif 000005
【図４】
0003214140.tif 000006
【図５】
0003214140.tif 000007
【図６】
0003214140.tif 000008
【図７】
0003214140.tif 000009